(57)【要約】【課題】  私たちが利用しているエネルギーは、石油、石炭や天然ガスのような化石燃料資源依存している。これらの化学物質の持つエネルギーを燃焼させ熱に交換したり、内燃機関によるエネルギーはクリーンでない。【解決手段】  電気エネルギーはクリーンで利用に便利である。水を電解質に、アノード、カソードに金属内に存在する自由電子でイオン効果の高い材料である。その時に、使用するセパレーターに厚手の紙を使用した。必要な電力はトランスファーにて自由に調整できる。クリーンなエネルギー再生可能なエネルギーである。地球温暖化の抑制に最適である。排出権での効果も大である。【選択図】なし【特許請求の範囲】
【請求項１】
金属的性質の個体金属内に存在する自由電子が電気を導く金属を選ぶことである。
その時、荷電子ガスを出さないことである。
【請求項２】
金属間に接触さないために厚手の紙（カーボン）を使用して、セパレーターとする。
【請求項３】
アノード、カソードとして電力を導いたとき、金属間で作動温度は通常の室温程度である。
【請求項４】
電気として利用でき、形状や大きさは自由度が大きく、携帯用や非常時用にも必需品となる。
【請求項５】
水をエネルギーとして利用したとき、再生可能なエネルギーである。
【請求項６】
地球温暖化を最も抑制するエネルギーであるから、他のエネルギーとの差額で排出権の確立を設定する。
【発明の詳細な説明】
【技術分野】
【０００１】  この発明は、水を触媒として直接エネルギー（電気）を生成に関するものである。
【背景技術】
【０００２】  従来、エネルギーはその多くを石油、石炭や天然ガスのような化石燃料に依存している。
これらの化学物質の持つエネルギーを燃焼させて一度熱に変換している。熱を直接利用するのに加えて、内燃機関のような力学エネルギーや、発電による電気エネルギーに変換している。
【先行技術文献】
【特許文献】
【０００３】
【特許文献１】  「燃料電池材料」  日刊工業新聞社発行
【発明概要２】
「有機化学」  廣川書店、「物理冶金学」  内田老鶴圃」
【発明が解決しようとする課題】
【０００４】  従来の燃料電池はガスを捕集する酸性溶液中に挿入した白金電極に外部電源から電圧を印加して酸素と水素を製造している
【０００５】  電源を外してその部分に水電解層にいれ、捕集した水素と酸素が白金電極の上で酸化、還元されて燃料電池となる。
本発明は、以上のような欠点をなくすためになされたものである。
【課題を解決するための手段】
【０００６】  元素の周期表の各元素の化学的性質や物理的特性から、気体分子は種々の輻射線、放射線によってイオン化する。
【０００７】  電解質は水に溶かすと電離作用によって常にイオンを生じるのである。
【０００８】  周期表では、希ガス元素で各周期が終わっている。いわゆる、長周期表では七段、つまり七つの周期があって、上から順にそれぞれ２、８、８、１８、１８、３２、３２元素を収容している。
【０００９】  現実にそれぞれの電子の軌道には２、６、１０、１４個の電子が収容される。最内殻には電子２個、次の殻には８個の（２＋６）、さらにその次には１８個（２＋６＋１０）、
その次に３２個（２＋６＋１０＋１４）ということになる。
【００１０】  この隠されていた構造は、原子の内部構造が解明されたときに初めて理解されようになった。
【００１１】  周期表の理解のためには、原子の中で原子核の周りに位置する電子がきちんとした配列で詰まっていることを認める必要がある。
【００１２】  一番低いエネルギーレベルから初めて、電子を１個ごとに埋めてゆき、原子核中の陽子の数と同じだけ充填すると、中性子ができることになる。
【００１３】  原子の構造を陽子、中性子などから成る原子核と格外電子群とに分けて考えると、個体物性を支配しているのは後者の中性子である。
【００１４】  したがって固体物質・材料の性質を理解するために、まず、個々の原子の電子構造・状態とそれらの原子の結合を考えることである。
【００１５】  電子軌道は原子核に近いほうを１番とし７番目まで番号が振られているのである。
【００１６】  この下部分類にあたる軌道にアルファベットのｓ，ｐ，ｄ，ｆが振られている。これはそれぞれｓｈａｒｐ，Ｐｒｉｎｃｉｐａｌ，ｄｉｆｕｓｅ，ｆｕｎｄａｍｅｎｔａｌの頭文字である。
（金属材料基礎工学    日刊工業新聞社発行  ｐ２、ｐ３参照）
【００１７】  電子軌道は、殻から遠いほど多数の電子を収容できるようになるのである。
【００１８】  ｓ軌道は最大２個、ｐ軌道は６個、ｄ軌道は１０個、ｆ軌道は１４個まで電子が入るのである。これが周期表中におけるいくつものブロックの源である。
【００１９】  ｓ‐ブロック元素は１族（アルカリ金属元素）と２族（アルカリ土類金属元素）
ｐ‐ブロック元素は１３族１８族までの６グルーブで構成される。
ｄ‐ブロック元素は３族から１２族まで１０グループに構成される。
ｆ‐ブロック元素は４ｆ元素と５ｆ元素の二群があるが、どちらも１４元素からなっている。
【００２０】  粒子の形態的特徴である大きさと形状を明確に定義する必要がある。
【００２１】  また、紛体粒子の表面、界面は粒子の関わる物質移動や反応に関与し、界面を介した粒子間の相互作用は紛体の凝集や分散に関係する粒子状物質の重要な特性である。
【００２１】  他方、結晶構造、電気的、磁気的特性、光学的特性、力学的特性、音響的特性は、集合体や成形体においても共通する特性であるが、粒子状物質である場合に特徴的な変化も現れるのである。
【００２２】  原子または分子間に働く引力には、電荷間、永久双極間などに作用するクーロン力があるのです。
【００２３】  周囲の電荷や永久双極とそれによって誘起される双極モーメントとの間に働く分極力があるのです。
【００２４】  瞬間的な電荷のゆらぎが影響しあう分散力がある。
【００２５】  これらの相互作用を厳密に分けることは難しいが、この分散力は不対電子を持たない中性原子や中性分子（無極性分子）間にも働く引力であり、一方の原子（または分子）の中の電子の存在確率に時間的なゆらぎが生じる。
【００２６】  電気双極子などは、多重極が一時的にできそれが他方の原子に多重極を誘起して引力が働くのである。
【００２７】  物体は多数の原子（分子）から構成されており、構成要素間の相互作用に加算性を仮定して、距離、離れた二つの反無限対に作用する単位面積当たりのファンデールワース力がある。
【００２８】  定数を求めるためにはいくつかの方法が提案されているが、手法および条件の違いで、得られる値は大きく異なることがある。
【００２９】  おおよその目安として、炭化物系の物質は、＝（４〜１０）ｘ  １０−２０  Ｊ．
酸化物            ＝（１０〜１５）ｘ  １０−２０  Ｊ．
金属              ＝（１５〜５０）ｘ１０−２０  Ｊ．
本発明は、以上の構成よりなる水を触媒とした直接エネルギ−（電気）の生成法である。
【発明の効果】
【００３０】  本発明は、廉価である、軽い、携帯可能、非常時の電力供給源となる。
【００３１】  必要に応じて、電力を増幅できる。すなわち、電力はトランスの増設可能である。
【００３２】  使用した電力は、生成時にも自らエネルギーを使用するが、環境にやさしいのである。
【００３３】  このエネルギー（電力）を使用して、特願２０１３−４１１９５の電力源とする。このエネルギーは燃焼しても排出されるのは水である。ＣＯ，ＣＯ２，ＮＯｘ等一切の公害となる物質出さないエネルギーである。
【００３４】  これらのエネルギーは、地球環境にやさしい、排出権の取引にされるであろう。
【発明を実施するための形態】
【００３５】  以下、本発明を実施するための形態について説明する。物質の物理特性や化学との互恵関係にある、電解質は水に溶かすと電離作用によって常にイオンを生じるのである。
【００３６】  周期表は元素全体を８族にわけ、８元素ごとに科学的類似元素が回ってくるように配列したものがある。１周期にはＨ，とＨｅだけで、次の２、３周期は８元素を持って完結するが、４、５周期は各１８元素からなる。
【００３７】  個体では原子あるいは分子は互いに引力によって結合して、一定型式に配列して、自発的に最も自由エネルギーの少ない配列様式をとるのである。
【００３８】  個体結晶における原子の結合にはイオン結合、同局結合、金属結合、ファンデル・ワール結合の４種類がある。
【００３９】  金属的性質は個体金属内に存在する自由電子によって、電気を導くのは自由電子が電場の方向に流れるからである。
【００４０】  自由電子を価電子ガスと考えるならば、ガスの多いものと少ない物、従って金属的性質の著しい物と著しくない物とがある。
【００４１】  Ｃｕ  Ａｇ  Ａｕ  Ａｌは著しい側に属し、Ａｓ  Ｓｂ  Ｂｉなどは著しくない側に属する。
【００４２】  本発明は、自由電子の著しい側の廉価な物質を選んだのである。
ＧＳＣ：Ｇｒｅｅｎ＆Ｓｕｓｔａｉｎａｂｌｅ  Ｃｈｅｍｉｓｔｒｙの考え方に基づいた技術の「持続可能な社会を構築」科学技術を通して「人と環境の健康・安全」を目指し、持続可能な社会の実現に貢献するのである。